(57)【要約】【課題】  ＩＣカードを利用した方式においてリボークできる受信装置を提供する。【解決手段】  デジタル放送を選局する選局手段２１と、選局手段により選局されたデジタル信号からＥＣＭ及びＥＭＭを分離する分離手段２２と、デジタル信号が入力されデスクランブルを行うデスクランブル手段２７と、ＥＣＭを復号するＥＣＭ復号手段２６３と、ＥＭＭを復号するＥＭＭ復号手段２６４と、ＥＣＭ及びＥＭＭを用いて視聴可否を判定する視聴可否判定手段２６７と、視聴可否判定手段からの信号によりリボークされているかどうかを判定するリボーク判定手段２１５と、リボーク判定手段からの信号により、ＩＣカード２５から供給されたデスクランブル鍵及びデスクランブル鍵を、デスクランブラに供給するかどうか、リボーク判定手段から供給されるリボークしているかどうかの情報を用いて切替える切替え手段２８を具備する。【選択図】  図１
2005217918.tif 000002
【特許請求の範囲】
【請求項１】
デジタル放送を選局する選局手段と、
前記選局手段により選局されたデジタル信号からＥＣＭ及びＥＭＭを分離する分離手段と、
前記デジタル信号が入力されデスクランブルを行うデスクランブル手段と、
前記分離手段により分離されたＥＣＭを復号する第１のＥＣＭ復号手段と、
前記分離手段により分離されたＥＭＭを復号する第１のＥＭＭ復号手段と、
前記第１のＥＣＭ復号手段及び前記第１のＥＭＭ復号手段により復号されたＥＣＭ及びＥＭＭを用いて視聴可否を判定する第１の視聴可否判定手段と、
前記視聴可否判定手段からの信号によりリボークされているかどうかを判定するリボーク判定手段と、
前記リボーク判定手段からの信号により、第２のＥＣＭ復号手段、第２のＥＭＭ復号手段及びこれらにより復号されたＥＣＭ及びＥＭＭを用いて視聴可否を判定する第２の視聴可否判定手段を有するＩＣカードから供給されたデスクランブル鍵及び前記第１の視聴可否判定手段から供給されたデスクランブル鍵を、前記デスクランブラに供給するかどうか、前記リボーク判定手段から供給されるリボークしているかどうかの情報を用いて切替える切替え手段とを具備することを特徴とする受信装置。
【請求項２】
前記分離手段から分離されたＳＩ／ＰＳＩ信号を復号処理するＳＩ／ＰＳＩ処理手段とをさらに具備し、前記ＳＩ／ＰＳＩ信号が前記リボーク判定手段に供給されていることを特徴とする請求項１記載の受信装置。
【発明の詳細な説明】
【技術分野】
【０００１】
本発明は、受信装置に関する。
【背景技術】
【０００２】
通信衛星や放送衛星を用いた放送ではデジタル方式の放送サービスが運営されてきたが、地上放送においてもデジタル方式の放送サービスが始まった。
【０００３】
一般に通信衛星や放送衛星を用いた放送では、ユーザは、チャンネル単位、番組単位、時間単位など様々な単位で視聴契約を結び有料視聴できる。このために放送するためのコンテンツをスクランブル処理して、視聴契約に基づいて視聴可能となる単位のみをデスクランブルすることで視聴可能とする限定受信システムが運営されている。この限定受信システムによると、家庭に設置された各受信装置個別に利用者の契約状態等に応じた個別情報（ＥＭＭ）を伝送し、この個別情報（ＥＭＭ）を各受信装置個別に設定する。
【０００４】
一方、地上放送では、アナログ放送から一般的に無料で視聴する形態を採用しているが、今後は無料で視聴できる放送であっても放送用のコンテンツの著作権を守るために、やはりスクランブル処理して放送される。さらに著作権の保護を強化するためにコンテンツにはコピーが一回だけ許可されるコピーアットワンスの制限つきのものが主流になる。
【０００５】
現在、地上デジタル放送を受信する受信機には著作権保護法式としてＲＭＰ方式が検討されており、ＲＭＰ方式では著作権保護の機能を不正にやぶった場合、この受信機に放送を受信できないようにするリボークと呼ばれる著作権保護を強化した技術が開発されている（特許文献１参照）。
【特許文献１】特開２００１−７８１５４号公報
【発明の開示】
【発明が解決しようとする課題】
【０００６】
しかしながら、現状の通信衛星や放送衛星を用いた放送にもちいられる受信機にＢ−ＣＡＳカードを利用した有料放送システム（以下ＩＣカードを利用した方式）では、著作権保護機能が不正に破られた場合でも、その受信機を放送側は把握できずリボークすることができない。
【０００７】
本発明は、このような問題に鑑みてなされたもので、ＩＣカードを利用した方式においてもリボークできる受信装置を提供することを目的とする。
【課題を解決するための手段】
【０００８】
上記目的を達成するために、本発明は、デジタル放送を選局する選局手段と、
前記選局手段により選局されたデジタル信号からＥＣＭ及びＥＭＭを分離する分離手段と、
前記デジタル信号が入力されデスクランブルを行うデスクランブル手段と、
前記分離手段により分離されたＥＣＭを復号する第１のＥＣＭ復号手段と、
前記分離手段により分離されたＥＭＭを復号する第１のＥＭＭ復号手段と、
前記第１のＥＣＭ復号手段及び前記第１のＥＭＭ復号手段により復号されたＥＣＭ及びＥＭＭを用いて視聴可否を判定する第１の視聴可否判定手段と、
前記視聴可否判定手段からの信号によりリボークされているかどうかを判定するリボーク判定手段と、
前記リボーク判定手段からの信号により、第２のＥＣＭ復号手段、第２のＥＭＭ復号手段及びこれらにより復号されたＥＣＭ及びＥＭＭを用いて視聴可否を判定する第２の視聴可否判定手段を有するＩＣカードから供給されたデスクランブル鍵及び前記第１の視聴可否判定手段から供給されたデスクランブル鍵を、前記デスクランブラに供給するかどうか、前記リボーク判定手段から供給されるリボークしているかどうかの情報を用いて切替える切替え手段とを具備することを特徴とする受信装置を提供する。
【発明の効果】
【０００９】
本発明は、不正に著作権保護をやぶった受信機を特定してリボークできるＲＭＰ方式を搭載した受信機において、通信衛星や放送衛星を用いた放送も受信できるようにしたＩＣカードを利用した方式を搭載する。この受信機にて著作権が不正に破られた場合ＲＭＰ方式にてリボークし、さらにＣＡＳカードも使用制限を受けるようにする。こうすることで従来リボーク機能を有しなかったＩＣカードを利用した方式においても、リボーク機能を実現できる。
【発明を実施するための最良の形態】
【００１０】
以下、本発明の最良の実施形態について説明する。本発明はこれら実施形態に限定されることなく、種々工夫して用いることができる。
【００１１】
図１は、本実施形態にかかわる受信装置（ここではＴＶ）を示すブロック図である。
【００１２】
図１に示すように、このＴＶ２は、放送信号を受信するためのアンテナ１から送られてきた放送波から所望の番組を選局する選局手段２１と、この選局手段２１から供給される信号からＥＣＭ、ＥＭＭ、ＳＩ／ＰＳＩを分離する分離手段２２とを有している。
【００１３】
また、ＴＶ２には、ＥＣＭ復号手段２６３、ＩＤ２を記憶するメモリ２６２、フィルタリング２６１、ＥＭＭ復号手段２６４、鍵ＫＭ２Ｉを記憶するメモリ２６５、ＥＭＭメモリ２６６、ＥＣＭ及びＥＭＭから視聴の可否を判定する視聴可否判定手段２６７とを有するＲＭＰ処理部２６が組み込まれている。
【００１４】
また、ＴＶ２には、ＥＣＭ復号手段２５１、ＥＭＭ復号手段２５２、鍵Ｋｍ１ｉが記憶されているメモリ２５３、ＥＭＭメモリ２５４、ＥＣＭ及びＥＭＭから視聴の可否を判定する視聴可否判定手段２５５を有するＩＣカード２５が組込み自在になっている。
【００１５】
また、ＴＶ２には、ＩＣカード２５のためのフィルタリング２３、ＩＤ１が記憶されたメモリ２４が組み込まれている。
【００１６】
また、ＴＶ２は、ＲＭＰ処理部２６の視聴可否判定２６７からの信号からリボークされているかどうか判定するリボーク判定手段２１５を有し、このリボーク処理手段２１５からの信号により視聴可否判定２５５、視聴可否判定２６７からのデスクランブル鍵をデスクランブラ２７に入力するようになっている。
【００１７】
また、ＴＶ２には、デスクランブラ２７からの信号が入力されるＭＰＥＧデコーダ２９、ＭＰＥＧデコーダ２９からの信号が入力されるＴＶモニタ２１０、スピーカ２１１、システムを制御するシステムコントロール手段２１２を有している。
【００１８】
このＴＶ２は、ＡＲＩＢ（社団法人電波産業会）等で規格化検討中の「著作権保護方式」（ＲＭＰ方式）に対応している。この「著作権保護方式」では、番組提供者の権利を保護する観点から、無料放送において、スクランブルを利用し、番組の権利保護が可能な受信機のみが復調できるようにしている。こうすることで放送された番組の不正な複製を防止することを可能にしている。
【００１９】
具体的には、デジタル放送用受信機等における番組の著作権保護を、以下に示すように実現している。
【００２０】
番組の複製可能な回数等の番組の利用条件（権利保護情報）を、番組とともに放送波で伝送する。
【００２１】
放送の送り手側は番組等をスクランブルする鍵を管理し、権利保護情報に示す利用条件に従って動作をする受信機に対してその鍵を付与する。
【００２２】
受信機から外部接続機器に番組を出力できるのは、その外部接続機器も権利保護情報に示す番組の使用条件に従う動作をするものである場合に限る。その際、権利保護情報も付加して出力する。
【００２３】
なお、スクランブルを利用し、番組の権利保護が可能な受信機のみが放送される番組を復調でき、受信機の外部へ出力することできるようにする技術は、有料放送システムおよびその受信機で既に実用化されている。
【００２４】
先ずは、この有料放送システムおよびその受信機で既に実用化されている技術を利用し、追って規格化される「著作権保護方式」に切替えることでより強化された著作権保護法式を構築することを想定している。このため、１つの放送番組を２種類の方式で処理するいわゆるサイマルクリプトの運用を想定している。
【００２５】
このサイマルクリプトとは、地上デジタルテレビジョン放送運用規定のＡＲＩＢ  ＴＲ−Ｂ１４  １．１版（以下  ＴＲ−Ｂ１４）の第三分冊、第五編、Ａ．１．２（５−６０ページ〜）では「複数限定受信方式の運用」として説明されている。
【００２６】
著作権保護を可能な放送の実用化に際しては、当初、ＡＲＩＢ  ＳＴＤ−Ｂ２５第１部準拠の限定受信方式、いわゆる現ＢＳデジタル放送で実用化されている有料放送システム（以下ＩＣカードを利用した方式）を利用するが、将来において、これよりもコンテンツ保護に適したコンテンツ保護専用方式（以下「著作権保護方式」）が登場した場合に、それを導入できるように複数の限定受信方式を運用可能な規定とする。
【００２７】
このために、「著作権保護方式」の導入時に複数の限定受信方式のための記述子を運用しても、放送開始当初の受信機でも誤動作をおこさないようにするために、複数の限定受信方式のための記述子、ＣＡサービス記述子がＣＡＴ、ＰＭＴに配置可能な規定とした。
【００２８】
しかし、放送開始時点で販売される受信機においては、ＩＣカードを利用した方式の限定受信方式のみが搭載されることが想定される。よってこの受信機においても著作権保護を可能な放送の視聴を可能とするため、ＩＣカードを利用した方式準拠のＥＣＭと「著作権保護方式」方式準拠のＥＣＭの両方で同一のスクランブル鍵の伝送を行う。
【００２９】
次に、図１を用いて、本受信装置の動作についてで説明する。
【００３０】
ここでＩＣカード２５で処理すべきＥＣＭと受信機２に組み込まれたＲＭＰ処理部２６で処理すべきＥＣＭとは、放送局から別の情報として伝送されるが、そのＥＣＭ内に配置され伝送されるスクランブル鍵はまったく同じものである。
【００３１】
以上のように１つの放送コンテンツ（映像、音声など）を１つのスクランブル鍵でスクランブルし、そのスクランブル鍵を複数のＥＣＭに配置し伝送することを、以下ではサイマルクリプトとよぶ。
【００３２】
先ず、このＴＶ２は、アンテナ１と接続されている。アンテナ１は放送受信するためのアンテナであり、ここでは衛星放送用のパラボラアンテナを示しているが、地上デジタル放送の場合には八木アンテナ等が利用される。
【００３３】
次に、アンテナ１で受信された放送波は、ＴＶ２の選局手段２１に入力される。この選局手段２１は、視聴者が指定したチャンネルの信号を選択し、復調処理、同期検出、エラー訂正処理などを行う。なお視聴者からのチャンネルの指定は、図１中右下に記載しているリモコン３から発信された信号を、リモコン受信部２１３で受け、システムコントロール手段２１２で解析後、図示しない信号線を通じて、選局手段２１へ通知される。なお、ここでシステムコントロール手段２１２はマイコンが利用される。
【００３４】
次に、選局部２１からの出力は、デスクランブラ２７および分離部２２へ与えられる。デスクランブラ２７では視聴者が選択した番組の映像、音声信号やデータ放送信号を視聴可能なようにデスクランブル処理する。このデスクランブラ２７へ与えられるスクランブル鍵は切替部２８から入力される。
【００３５】
デスクランブラ２７でデスクランブル処理された信号は、ＭＰＥＧデコーダ２９でデコード処理され、映像はＴＶモニタ部２１０に表示され、音声はスピーカ２１１から出力される。なお著作権保護を可能とする受信機においては、デスクランブル後の信号を、図示しない出力インターフェースから放送信号の番組配列情報（ＳＩ（ＳＥＲＶＩＣＥ  ＩＮＦＯＲＭＡＴＩＯＮ）、ＰＳＩ（ＰＲＯＧＲＡＭ  ＳＰＥＣＩＦＩＣ  ＩＮＦＯＲＭＡＴＩＯＮ））で伝送される権利保護情報に従い保護され、出力される。
【００３６】
次に、分離部２２へ与えられた信号は、少なくともＩＣカード２５に与えられるＥＣＭ、ＩＣカード２５に与えられるＥＭＭ、受信機組み込みＲＭＰ処理部２６に与えられるＥＣＭ、受信機組み込みＲＭＰ処理部２６に与えられるＥＭＭ、ＳＩ／ＰＳＩ処理部で処理すべきデータに与えられる。
【００３７】
このうちＥＣＭ、ＥＭＭはサイマルクリプトの場合複数種類伝送される場合があり、ＩＣカード２５の処理部が処理するのか、受信機組み込みＲＭＰ処理部２６の処理部が処理するのかを放送局が指定できるようになっている。
【００３８】
放送局からは、ＳＩ／ＰＳＩの情報の一部として伝送される限定受信方式記述子にＩＣカード２５で処理するかＲＭＰ処理部２６で処理するかを記述する。ＳＩ／ＰＳＩ処理部２１４は、この限定受信方式記述子を抽出し、解析して、図示しない信号線を介して、分離部２２へ通知する。なおこの指定情報は、ＳＩ／ＰＳＩ処理部２１４で抽出された後、システムコントロール部で解析され、分離部２２へ通知される構成の受信機であっても良い。
【００３９】
ＳＩ／ＰＳＩ処理部２１４で処理すべきデータとは、前記ＥＣＭ、ＥＭＭや番組の映像、音声信号やデータ放送信号などを除いたデータであって、前述のように複数種類のＥＣＭ、ＥＭＭがどちらの処理部で処理すべきかを指定する情報（限定受信方式記述子）のほか、番組の利用条件（権利保護情報）の情報（例えばコピーが一回だけ許可されるコピーアットワンスなど）、選局部２１で選局の際に必要な周波数情報や、番組の名称など電子番組表を提示するために使用される情報などある。
【００４０】
次に、ＩＣカード２５での処理について説明する。
【００４１】
分離部２２で分離されたＩＣカード２５に与えられるＥＭＭは、さらにフィルタリング部２３でさらに当該ＩＣカード２５用のＥＭＭのみが分離される。この分離には当該ＩＣカード２５に与えられたＩＤ１が使用される。このＩＤ１は個々のＩＣカードごとに異なるＩＤであり、ＩＣカード２５内の不揮発メモリ内に製品出荷前に記憶されているものである。ＴＶ２ではＩＣカード２５が差し込まれた際、あるいはＴＶ２の電源が入った際に、ＩＣカード２５内の不揮発メモリからＩＤ記憶部２４へ転送される。
【００４２】
そしてこのＩＤ１を使用し、フィルタリング部２３でさらに当該ＩＣカード２５用のＥＭＭのみが分離され、ＩＣカード２５に与えられる。
【００４３】
次に、ＩＣカード２５のＥＣＭ復号部２５１へ入力されたＥＣＭは、暗号復号処理される。この復号処理に使用される鍵は、後述するＥＭＭの情報の一部として伝送された鍵Ｋｗ１である。復号後のＥＣＭは視聴可否判定部２５５に与えられる。このＥＣＭでは、放送コンテンツ（映像、音声データなど）の暗号化に使用されるスクランブル鍵や、視聴条件を示す情報が伝送される。
【００４４】
視聴条件を示す情報とは、放送が有料放送であるか無料放送であるかを表す情報のほか、有料放送である場合には、後述するＥＭＭ（個別情報）と比較し視聴が可能かどうかを判定するための情報であり、番組の視聴条件を示す情報である。
【００４５】
ＩＣカード２５のＥＭＭ復号部２５２へ入力されたＥＭＭも、暗号復号処理される。この復号処理に使用される鍵は、製品出荷前にＫｍ１記憶メモリ２５３に記憶されているものであり、個々のＩＣカードごとに異なる鍵である。
【００４６】
復号後のＥＭＭは不揮発のＥＭＭメモリ２５４に記憶され、視聴可否判定部２５５に与えられる。このＥＭＭメモリ２５４には前述の鍵Ｋｗ１（ワーク鍵）も記憶され、ＥＣＭ復号部２５１へ与えられる場合もあるが、図１では鍵の３重構造を見やすくするため、ＥＭＭ復号部２５２に不揮発メモリがあることを前提として図示している。このＥＭＭは、ＥＣＭを復号するための鍵Ｋｗ１や、有料放送の場合には番組の視聴契約条件（視聴できる番組、チャンネル、視聴期限など）を含む情報である。
【００４７】
なお、ワーク鍵Ｋｗ１はセキュリティーの低下を防ぐという目的から、定期的に例えば１ヶ月に１度などの更新周期で更新することがあり、更新時には事前に全ての視聴契約者に向けて更新予定の新しいワーク鍵をＥＭＭに入れ送付するようになっている。放送局では新しいワーク鍵の入ったＥＭＭをほぼすべての受信機が受信した頃を見計らってワーク鍵を更新する。
【００４８】
次に、ＩＣカード２５の視聴可否判定部２５５では、ＥＣＭ復号部２５１から得たＥＣＭとＥＭＭメモリ２５４に記憶されているＥＭＭとを比較し、視聴可否を判定する。この場合の処理の概要は下記のとおりである。
【００４９】
有料放送の場合では、前述のようにＥＭＭ内で伝送された番組の視聴契約条件に従い、受信した番組が視聴可能かどうか判定し、視聴可能な場合には、ＥＣＭ内のスクランブル鍵を取出し、出力する。
【００５０】
しかし、ＥＭＭ内で伝送された番組の視聴契約条件に視聴契約が無く、当該番組を視聴する権利が無いと判定した場合には、スクランブル鍵の出力は行わないほか、図示はしないがＩＣカード２５から当該番組が視聴不可であることを示す情報を出力する。この情報は例えばシステムコントロール部２１２が受け取り、オンスクリーンディスプレイ表示等を通じて視聴者に当該番組が視聴不可であることを示すこととなる。
【００５１】
一方無料放送の場合には、番組の権利保護が可能な受信機のみ当該ＩＣカード２５が供給される前提であるほか、無料放送では個々の視聴者（受信機）ごとに視聴契約を行うことはないため、視聴可否判定処理は行われず、当該ＩＣカード２５にＥＣＭを復号するための鍵Ｋｗ１が記憶されていればＥＣＭが復号でき、スクランブル鍵の取出しが可能となり、視聴可能となる。
【００５２】
次に、受信装置２に組み込まれたＲＭＰ処理部２６での処理について説明する。
【００５３】
ＥＭＭは、分離部２２で分離されＲＭＰ処理部２６に与えられる。このＥＭＭは、さらにフィルタリング部２６１でＲＭＰ処理部２６用のＥＭＭのみが分離される。この分離には当該受信機組み込みＲＭＰ処理部２６に与えられたＩＤ２が使用される。このＩＤ２は個々の受信機ごとに異なるＩＤであってもよいが、例えばメーカーごと、機種ごとなど、複数の受信機で共通の場合であっても良い。このＩＤ２は、受信機組み込みＲＭＰ処理部２６内の不揮発メモリ２６２に製品出荷前に記憶されているものとする。そしてこのＩＤ２を使用し、フィルタリング部２６１でさらに当該受信機組み込みＲＭＰ処理部２６用のＥＭＭのみが分離される。
【００５４】
次に、受信機組み込みＲＭＰ処理部２６のＥＣＭ復号部２６３へ入力されたＥＣＭは、暗号復号処理される。この復号処理に使用される鍵は、ＥＭＭの情報の一部として伝送された鍵Ｋｗ２である。復号後のＥＣＭから放送コンテンツ（映像、音声データなど）の暗号化に使用されるスクランブル鍵を抽出し、受信機組み込みＲＭＰ処理部２６から出力する。
【００５５】
受信機組み込みＲＭＰ処理部２６のＥＭＭ復号部２５２へ入力されたＥＭＭも、暗号復号処理される。この復号処理に使用される鍵は、製品出荷前にＫｍ２記憶メモリ２６５に記憶されているものであり、受信機組み込みＲＭＰ処理部２６において、例えばメーカーごとに異なる鍵である。
【００５６】
復号後のＥＭＭは不揮発のＥＭＭメモリ２６６に記憶される。このＥＭＭメモリ２６６には前述の鍵Ｋｗ２も記憶され、ＥＣＭ復号部２５１へ与えられる場合もあるが、図１では鍵の３重構造を見やすくするため、ＥＭＭ復号部２６４に不揮発メモリがあることを前提として図示している。このＥＭＭは、ＥＣＭを復号するための鍵Ｋｗ２や、当該ＩＤ２、Ｋｗ２を有する受信機がリボークされているかどうかを示す情報（リボーク情報）を含む情報である。
【００５７】
なお、ワーク鍵Ｋｗ２はセキュリティーの低下を防ぐという目的から、定期的に例えば１ヶ月に１度などの更新周期で更新することがあり、更新時には事前に全ての視聴契約者に向けて更新予定の新しいワーク鍵をＥＭＭに入れ送付するようになっている。放送局では新しいワーク鍵の入ったＥＭＭをほぼすべての受信機が受信した頃を見計らってワーク鍵を更新する。
【００５８】
リボークとは、当該受信機が当初番組の権利保護が可能な受信機として認定され、Ｋｍ２が提供されて製造されたものの、その後、番組の権利保護を行う機能が悪意を持った利用者に改悪されるなどされ、無能化（すなわちコピー１回のみのコンテンツをコピーフリーのコンテンツとして出力されるようになってしまうなど）された場合に、放送事業者から実行する行為であり、当該受信機を視聴不可にするものである。
【００５９】
この場合、リボークの対象となる受信機以外の正規の受信機に対し、新しいワーク鍵を送り更新する。こうすることでリボークの対象となる受信機には、新しいワーク鍵を与えられないので、リボークの対象となる受信機は、ＥＣＭ復号部２６３で正しい復号ができず、従って視聴できないようになる。
【００６０】
このように不正な（改悪された）受信機を、システム全体から排除することを、ここではリボークとよぶ。なおワーク鍵をＥＭＭで送らないというだけでは、送られていない受信機がリボークされているかどうか明確にわからないため、明確に受信機に認識させるためにはリボークされてことを示す情報（リボーク情報）を送るものとする。なおこのリボーク情報はリボーク判定部２１５に出力される。
【００６１】
前述のように、リボークされていなければ、万一ワーク鍵の更新時期に受信機の電源が入っていなかった等のトラブルが無い限り、ＥＣＭ復号部で正しく復号され、正しいスクランブル鍵を出力可能である。
【００６２】
次に切替部２８の説明を行う。切替部２８ではＥＭＭメモリ２６６から出力されるリボーク情報および、ＳＩ／ＰＳＩ処理部２１４から出力される情報とを利用し、図２に示すように判定処理する。
【００６３】
図２に示すように、先ず、受信している放送が有料放送か否かを判定する（Ｓ１０１）。有料放送か無料放送かを示す情報は、ＳＩ／ＰＳＩ処理部２１４から出力される情報とするが、ＥＣＭで伝送し、ＩＣカード２５もしくは受信機組み込みＲＭＰ処理部２６から切替部２８へ有料放送か無料放送かを示す情報が与えられても良いものとする。
【００６４】
Ｓ１０１で、もし無料放送と判定した場合には、図１の切替部２８では受信機組み込みＲＭＰ処理部２６から出力されたスクランブル鍵を選択するように設定し（Ｓ１０４）処理は終了する。
【００６５】
もしＳ１０１において有料放送と判定した場合には、Ｓ１０２に進む。Ｓ１０２では当該受信機がリボークされていないか否か判定する。なおこのリボーク情報は上述の通り、受信機組み込みＲＭＰ処理部２６に割り付けられたＩＤごとに放送局がリボーク制御するための情報であり、ＩＣカードを利用した有料放送では実施されていないものである。
【００６６】
そのため有料放送の視聴可否判定処理のためのＥＣＭ、ＥＭＭは従来通りＩＣカード２５に対し放送局から送付するものとし、リボーク制御のためのＥＣＭ、ＥＭＭを受信機組み込みＲＭＰ処理部２６に対し放送局から送付する。
【００６７】
このＳ１０２で当該受信機がリボークされていない場合には、図１の切替部２８ではＩＣカード２５から出力されたスクランブル鍵を選択し（Ｓ１０３）処理は終了する。
【００６８】
もし視聴契約があれば、図２では図示しないが、ＩＣカード２５からスクランブル鍵が出力され、視聴が可能となるが、視聴契約がないとＩＣカード２５からスクランブル鍵が出力されず、視聴が不可となる。
【００６９】
一方、Ｓ１０２においてリボークされていると判定した場合には、図１の切替部２８では受信機組み込みＲＭＰ処理部２６から出力されるスクランブル鍵を選択するように設定し（Ｓ１０４）処理は終了する。
【００７０】
なお、この場合有料放送であるので、受信機組み込みＲＭＰ処理部２６には必要なＫｗ１などの情報がなく、よってスクランブル鍵は出力されず、視聴は不可である。
【００７１】
また、図３に示すように、Ｓ１０５に示すように視聴不可になるように切替部２８の出力を無効にするように処理をしても良い。無効になるように処理するとは、ＩＣカード２５および受信機組み込みＲＭＰ処理部２６のいずれからののスクランブル鍵も切替出力しないということである。
【００７２】
このように本実施形態で説明した受信装置２５では、ＩＣカードを利用した受信機において有料放送を受信時に、権利保護機能が改悪され、無能化（すなわちコピー１回のみのコンテンツをコピーフリーのコンテンツとして出力されるようになってしまうなど）された場合にも、リボークできなかったものがリボークできる。
【００７３】
次に、図４に示すフローチャートを用いて、本発明の他の実施形態にかかわる受信装置の説明を行う。
【００７４】
この他の受信装置において、ブロック構成は図１で説明したものと同様であるのでその説明は省略する。
【００７５】
図４の実施形態では、図１の受信装置とは、ＳＩ／ＰＳＩ処理部２１４から切替部２８へ与える信号としてリボーク情報の利用可否情報が増える点、および切替部２８の処理フローが異なる。
【００７６】
先ず、切替部２８では、受信している放送が有料放送か否かを判定する（Ｓ１０１）。この有料放送か無料放送かを示す情報は、ＳＩ／ＰＳＩ処理部２１４から出力される情報とするが、ＥＣＭで伝送し、ＩＣカード２５もしくは受信機組み込みＲＭＰ処理部２６から切替部２８へ有料放送か無料放送かを示す情報が与えられても良いものとする。
【００７７】
Ｓ１０１で、もし無料放送と判定した場合には、図１の切替部２８では受信機組み込みＲＭＰ処理部２６出力のスクランブル鍵を選択するように設定し（Ｓ１０５）処理は終了する。
【００７８】
もしＳ１０１において有料放送と判定した場合には、Ｓ１０２に進む。Ｓ１０２ではＳＩ／ＰＳＩ処理部２１４から出力される情報（リボーク情報の利用可否情報）を参照する。なお、このリボーク情報の利用可否情報は、ＳＩ／ＰＳＩ処理部２１４から出力される情報とするが、ＥＣＭで伝送し、ＩＣカード２５もしくは受信機組み込みＲＭＰ処理部２６から切替部２８へ与えられても良いものとする。
【００７９】
もしリボーク情報が利用可である場合には、Ｓ１０３で当該受信機がリボークされていないか否か判定する。なおこのリボーク情報は上述の通り、受信機組み込みＲＭＰ処理部２６に割り付けられたＩＤごとに放送局がリボーク制御するための情報であり、ＩＣカード２５を利用した有料放送では実施されていないものである。
【００８０】
このため有料放送の視聴可否判定処理のためのＥＣＭ、ＥＭＭは従来通りＩＣカード２５に対し放送局から送付するものとし、リボーク制御のためのＥＣＭ、ＥＭＭを受信機組み込みＲＭＰ処理部２６に対し放送局から送付するようにする。
【００８１】
Ｓ１０３で当該受信機がリボークされていないと判定した場合には、図１の切替回路２８をＩＣカード２５出力のスクランブル鍵を選択するように設定し（Ｓ１０４）処理は終了する。
【００８２】
もし有料放送の視聴契約があれば、ＩＣカード２５からスクランブル鍵が出力され、視聴が可能となるが、視聴契約がないとＩＣカード２５からスクランブル鍵が出力されず、視聴が不可である。
【００８３】
一方、Ｓ１０３においてリボークされていると判定した場合には、図１の切替回路２８を受信機組み込みＲＭＰ処理部２６出力のスクランブル鍵を選択するように設定し（Ｓ１０５）処理は終了する。
【００８４】
なお、この場合有料放送であるので、受信機組み込みＲＭＰ処理部２６には必要なＫｗ１などの情報がなく、よってスクランブル鍵は出力されず、視聴は不可である。
【００８５】
また、図５に示すように、Ｓ１０６のように視聴不可になるように切替回路２８の出力が無効になるようになっていても良い。
【００８６】
無効になるようにするとは、ＩＣカード２５および受信機組み込みＲＭＰ処理部のいずれからののスクランブル鍵も切替出力しないということである。
【００８７】
このように本実施形態による受信装置においても、ＩＣカード２５を利用して有料放送を受信時に、権利保護機能が改悪され、無能化（すなわちコピー１回のみのコンテンツをコピーフリーのコンテンツとして出力されるようになってしまうなど）された場合にも、リボークできなかったものがリボークできるようになり、さらにリボークの実施をＳＩ／ＰＳＩもしくはＥＣＭで指定できるため、放送番組ごとに細かく制御できるというメリットがある。すなわち、番組コンテンツをコピーフリーとして放送する場合には、リボーク状態を無効化指定とし、コピー制御を行う情報がコピー１世代もしくはコピー禁止フリーの場合にリボーク状態を有効化指定することで、番組コンテンツの価値に従ってリボーク制御可能となる。
【００８８】
図２のフローチャートにて説明した処理においては、当該受信機がリボークされている場合に、ＩＣカード２５から出力されたスクランブル鍵を使用させないように受信機を制御することによって、有料放送においてもリボークをした。
【００８９】
しかしながら、有料放送に使用されるＩＣカード２５は、他の受信機に差し込んで使用することができる過般型の装置である。従って、さらに他の実施形態として図６に示す受信装置について説明する。
【００９０】
図６に示すように、この受信装置が図１に示すものと異なるのは、切替部２８で判定した結果の情報をシステムコントロール部２１２へ与える点である。この切替部２８で判定した結果の情報とは、例えば図２、図３のフローチャートで説明したＳ１０２でリボークと判定した情報（図４、図５ではＳ１０３の処理）であり、すなわち有料放送において当該受信機がリボークであると判定した情報である。
【００９１】
また、図１には示さなかったがＩＣカード２５の視聴可否判定部２５５からの視聴可否判定情報をシステムコントロール部２１２へ与える信号線を記載した。
【００９２】
この場合に、システムコントロール部２１２は、図７に示すように処理する。Ｓ２０１において、図６の切替部２８でリボークと判定したかどうかを判定する。すなわち切替部２８で受信中の番組が有料放送であり、リボークである場合にＳ２０１においてリボークと判定し、それ以外はリボークでないとする。
【００９３】
次に、Ｓ２０２でＩＣカード２５内の視聴可否判定処理が可か不可かを判断する。このＳ２０２で可であった場合には、Ｓ２０３において、当該受信機はリボークされておりこのままでは視聴不可であるが、リボークされていない他の機器であれば受信可能である旨のメッセージを表示する。
【００９４】
さらにリボークされている機種名の情報が、図示はしないがＳＩ／ＰＳＩ情報の一部として伝送され、ＳＩ／ＰＳＩ処理部２１４からシステムコントロール部２１２に入力されるようになっていれば、前記メッセージ表示の際に、リボークされている機種名の表示を同時に行え、より便利である。
【００９５】
本実施例により、従来ＩＣカードを利用した受信機において有料放送を受信時に、権利保護機能が改悪され、無能化された場合に、当該受信機はリボークされておりこのままでは視聴不可であるが、リボークされていない他の機器であれば受信可能である旨のメッセージを表示できるようになった。従ってこれを参照した視聴者は、当該ＩＣカードをリボークされていない別の受信機に差し替えて視聴すれば、視聴可能であり、本来視聴できる有料放送の権利を有効に活用できるようになる。
【００９６】
また、リボークされている機種名の表示を同時に行うことにより、別の受信機に差し替える前にその受信機がリボークされているかどうか判断できより便利である。
【図面の簡単な説明】
【００９７】
【図１】本発明の実施形態における受信装置のブロック図である。
【図２】本発明の実施形態におけるフローチャートである。
【図３】本発明の実施形態におけるフローチャートである。
【図４】本発明の実施形態におけるフローチャートである。
【図５】本発明の実施形態におけるフローチャートである。
【図６】本発明の実施形態における受信装置のブロック図である。
【図７】本発明の実施形態におけるフローチャートである。
【符号の説明】
【００９８】
１・・・アンテナ
２・・・受信装置
３・・・リモコン
２１・・・選局手段
２２・・・分離手段
２３・・・フィルタリング
２４・・・メモリ
２５・・・ＩＣカード
２６・・・ＲＭＰ処理手部
２７・・・デスクランブラ
２８・・・切替部
２９・・・ＭＰＥＧデコーダ
２１０・・・ＴＶモニタ
２１１・・・スピーカ
２１２・・・システムコントローラ
２１３・・・リモコン受信部
２１４・・・ＳＩ／ＰＳＩ処理手段
２１５・・・リボーク手段
２５１・・・ＥＣＭ復号手段
２５２・・・ＥＭＭ復号手段
２５３・・・メモリ
２５４・・・メモリ
２５５・・・視聴可否判定手段
２６１・・・フィルタリング
２６２・・・メモリ
２６３・・・ＥＣＭ復号手段
２６４・・・ＥＭＭ復号手段
２６５・・・メモリ
２６６・・・メモリ
２６７・・・視聴可否判定手段
【図１】
2005217918.tif 000003
【図２】
2005217918.tif 000004
【図３】
2005217918.tif 000005
【図４】
2005217918.tif 000006
【図５】
2005217918.tif 000007
【図６】
2005217918.tif 000008
【図７】
2005217918.tif 000009